(57)【特許請求の範囲】
【請求項１】
時計ムーブメントの計時装置のエネルギ源として機能する主バレルと追加装置に機械的エネルギを供給するように形成された補助バレルとを有する前記時計ムーブメントと、前記追加装置を始動するために手動で作動可能な機械的制御手段とを備えた時計において、前記制御手段が前記追加装置を始動させると同時に前記補助バレルを巻き上げるように構成されていることを特徴とする時計。
【請求項２】
前記追加装置が、前記時計ムーブメントの前記計時装置に連結されたタイマー機構と関連づけられた時打ちを含み、前記時打ちが、前記タイマー機構によってカウントダウンされる時間間隔の終了時に始動させられることを特徴とする請求項１に記載の時計。
【請求項３】
前記補助バレルが、前記時打ちにエネルギを供給することを特徴とする請求項２に記載の時計。
【請求項４】
前記制御手段が、押しボタンを含むことを特徴とする請求項１から請求項３のいずれかに記載の時計。
【請求項５】
前記制御手段が更に、クロノグラフ歯車列のホイールと噛合する逆転ホイールを支持するレバーと、前記補助バレルのばねと運動力学的に連結されるラックを備える巻き上げバーとを含み、前記押しボタンが、前記レバーと前記巻き上げバーとに同時に作用することを特徴とする請求項４に記載の時計。
【請求項６】
連接制御レバーが、前記レバーと、それぞれ前記巻き上げバー及び前記押しボタンとの間に挿入され、前記レバーが、戻りばねと関係付けられていることを特徴とする請求項５に記載の時計。
【請求項７】
前記レバーが、前記逆転ホイールが前記タイマー機構歯車列のホイールと噛合する第１の位置と、前記逆転ホイールが前記ホイールから解放されている第２の位置との間で、回転移動可能であることを特徴とする請求項５又は請求項６のいずれかに記載の時計。
【請求項８】
前記巻き上げバーが、並進案内手段と関連付けられていることを特徴とする請求項５から請求項７のいずれかに記載の時計。
【請求項９】
前記巻き上げバーが、前記押しボタンの移動に対して平行する方向に沿って移動することを特徴とする請求項８に記載の時計。
【請求項１０】
前記巻き上げバーが、前記押しボタンの長手方向に沿って実質的に一直線に並んでいることを特徴とする請求項９に記載の時計。
【請求項１１】
前記案内手段が、互いに距離を置いて前記バーに配置され、且つ前記ムーブメントのプレートに固定された１対のスタッドに関連付けられている、１対の長円の孔を含むことを特徴とする請求項８から請求項１０のいずれかに記載の時計。
【請求項１２】
前記各スタッドが、前記プレート上に平坦に取り付けられる孔を有する石で形成されていることを特徴とする請求項１１に記載の時計。
【請求項１３】
前記レバーは、前記レバーが前記ムーブメントのプレートに連接される第１のアームと、前記制御レバーと協働する第２のアームと、コラムホイールと協働する第３のアームと、前記レバーの２つの所定の位置を位置決めすることができるジャンパばねと協働する第４のアームの４つのアームを含むことを特徴とする請求項５から請求項１２のいずれかに記載の時計。
【請求項１４】
前記第４のアームの端部は、前記ジャンパばねの端部が係合することができる２つのノッチを含むことを特徴とする請求項１３に記載の時計。
【請求項１５】
前記巻き上げバー及び前記連接制御レバーが、それぞれ戻りばねに係合していることを特徴とする請求項４から請求項１４のいずれかに記載の時計。
【発明の詳細な説明】
【技術分野】
【０００１】
本発明は、時間に関係する機能を始動させ、及び同時にバレルばねを巻き上げる機構を含む時計に関する。より詳細には、本発明は、機構が、時計の計時装置に連結されたタイマー機構によってカウントダウンされる所定の時間間隔の満了時に、時打ち機構を作動させることが意図されたバレルばねを巻き上げるタイプの時計に関する。「タイマー機構」とは、所定の時間間隔をカウントダウンする装置を意味する。
【背景技術】
【０００２】
従来技術においては、要求時に又は自動的に音を鳴らして、例えば、分単位のリピータ機構を備える時計の場合には時刻を報じ、或いは目覚まし時計の場合には特定の時間に人を目覚めさせる機械的装置は既に知られている。従来では、時打ち用ハンマを作動させるのに必要なエネルギは歯車列を介して時打ちバレルから供給される。時打ちバレルは、ムーブメントの計時モジュールにエネルギを供給するモータバレルとは別個のものであり、かつ、それ専用の巻き上げ装置を有している。
【０００３】
目覚まし時計であるか、分単位のリピータ機構を備えた時計であるかによって、一般に時打ちバレル用の２つのタイプの巻き上げ装置が見出される。目覚まし時計では、従来、時打ちバレルは、専用巻き上げステム、又は時間設定ステムを介して巻き上げられ、所定の時間にトリガ装置によって時打ちが起動され、その結果、時打ちバレルが完全に弛緩するまで、バレルのエネルギをハンマに供給する。このタイプの装置の１つの欠点は、ユーザがアラーム時間を選択し、バレルを必ずしも巻き上げることなくアラーム機能を起動させることができ、その結果、バレルが完全に弛緩している場合には時打ちは選択した時間に起動されない可能性があるということである。分単位のリピータ機構を備える時計では、時打ちバレルは、従来は、時計ケースの外側表面を摺動し、時打ちバレルと協働するラックアームを備える摺動ブロックに長円の開口を貫通させて機械的に連結された摺動ボタンによって巻き上げられる。時間表示は、摺動ボタンを解放した直後に、機構によって起動される時打ちによって与えられる。この摺動ボタン機構の１つの欠点は、この構造が複雑で、扱いにくく、且つ一般に摺動ボタンをシールし固定する装置を追加しなければ耐水性が確保できず、これにより該機構の取り扱いが複雑になることである。この様な機構は、例えば、スイス国特許第６７２８６８号において開示されている。このタイプの機構の別の欠点は、任意の時間にこの機構を始動させるために時打ちバレルにエネルギを蓄えさせることが不可能な点にある。
【０００４】
【特許文献１】スイス国特許第６７２８６８号
【発明の開示】
【発明が解決しようとする課題】
【０００５】
時間機能を始動し、及び同時にバレルばねを巻き上げる機構を含み、該機構が簡単でコンパクトな構造を有する時計を提供することによって、前述の従来技術の欠点を克服することが本発明の主な目的である。
【０００６】
また、上述のタイプの時計、特に、この機構の制御手段を時計ケースの防水性に影響を与えることなく時計ケース内に一体化することができる腕時計を提供することも本発明の目的である。
【０００７】
また、制御手段が従来タイプの制御部材を含む、上述のタイプの時計を提供することも本発明の目的である。
【０００８】
更に、時計の計時装置の動作を妨げること無く、時打ちバレルの巻き上げと、例えば、タイマー機構のような追加装置の起動とを同時に行う機構を含む、上述のタイプの時計を提供することも本発明の目的である。
【課題を解決するための手段】
【０００９】
従って、本発明は、腕時計ムーブメントの計時装置の動力源として機能する主バレルと、追加装置に機械エネルギを供給するように形成された補助バレルと、前記追加装置を始動させるために手動で作動させることができる機械的制御手段と、を備える腕時計ムーブメントを含み、制御手段が、追加装置の起動と補助バレルの巻き上げとを同時に行うように構成されていることを特徴とする時計に関する。
【００１０】
これらの特徴によって、追加装置にエネルギを供給する補助バレルは、起動されるとシステム的に巻き上げられ、それでユーザは、もはやバレルの巻き上げ状態に気を掛ける必要がなくなる。従って、ユーザにとって時計の利用もまた簡単になる。この構造は、２つの機能を、同一の制御手段を使用して制御することが可能である限りにおいて、コンパクトさとコストの観点からもまた有利である。
【００１１】
本発明の好ましい実施態様によれば、追加装置は、腕時計ムーブメントの計時装置に連結されたタイマー機構と関連付けられた時打ちを含み、該時打ちは、タイマー機構によってカウントダウンされる時間間隔の終了時に起動される。
【００１２】
本発明の有利な特徴によれば、制御手段は押しボタンを含む。補助バレルを巻き上げる従来の押しボタンの使用は、従来技術の摺動タイプの補助バレルの制御部材に存在する防水性問題を容易に解決する。更に、押しボタンは、市場で容易に入手可能であり、新規の制御部材の開発と関連するコストが不要となる。この特徴によって、防水性腕時計の形態でのこの時計の製造も、やはり単純化される。
【発明を実施するための最良の形態】
【００１３】
本発明の他の特徴及び利点は、添付の図面を参照しながら、これに限定されない例証によって与えられる好ましい実施形態に関する以下の説明により明らかになるであろう。
【００１４】
図１は、本発明を含む時計ムーブメントを含む、従来の腕時計タイプの時計１０の平面図である。この時計１０は、時計ムーブメントの計時装置によってそれぞれ駆動される時針３０、分針３１、及び小さな秒針３２を含む。計時装置は、従来通り主バレルによってエネルギが供給される。大きな開口の日付装置３３で、計時装置によって提供される読み取りが完了することになる。また、ここで示されている時計１０はクロノグラフ機能を確保する秒針３４、及び分カウンタ１１を含む。針３４及びカウンタ１１は、第１の押しボタン３５によって始動及び停止され、他方、第２の押しボタン３６は、前記表示器３４及び１１をゼロにリセットする。竜頭３７が移動する軸方向位置に応じて、計時装置のエネルギ源として機能する主バレルを巻き上げ、日付を設定し、及び計時装置の針の時間を設定する。
【００１５】
更に、本発明の時計は、分カウンタ１１を使用する追加装置を含み、該装置は、時計ムーブメント内に配置された補助バレルＢＡ（図２）によって、少なくとも部分的にエネルギを供給される。図の実施形態においては、追加装置は、時計ムーブメントの計時装置に運動学的に連結されているタイマー機構（図示せず）に関連する時打ち機構を含む。時打ちは、タイマー機構によって予め選択された時間間隔がカウントダウンされて終了した時に始動される。従って、補助バレルＢＡは、ここではこれ以上詳細には説明しないが、時打ち機構のハンマを作動させるのに必要な機械的エネルギを供給し、他方、主バレルは、タイマーを駆動するのに必要な機械的エネルギを供給する。カウントダウンされるべき時間の長さの予選択は回転式竜頭３７によって設定される。該回転式竜頭は、歯車列（図示せず）を介して、長さの異なる、角度が１２０°ずれた３つの枝状部を有する針２０に作用する。図１には１つの枝状部のみが示されている。３つの枝状部は、３つの同心円状のそれぞれが１０分間の目盛を含む扇形形状の文字盤１３と協働する。
【００１６】
本発明によれば、時計１０は、およそ９時の位置に配置された押しボタン３８を含み、追加装置を始動すると同時に、補助バレルＢＡを巻き上げるように配置された機械的制御手段ＭＣを含む。この目的のために、制御手段ＭＣは更に、追加装置の始動を制御するムーブメント（図示せず）のプレート上のＡで回転するレバー４０と、押しボタン３８及び補助バレルＢＡ間をムーブメントを横切って延び、補助バレルＢＡを巻き上げる巻き上げバー４２とを含む。押しボタン３８は、レバー４０、巻き上げバー４２それぞれと、押しボタン３８のステムの端部３８ａとの間に挿入された連接レバー４３を介して、レバー４０と巻き上げバー４２に同時に作用する。押しボタンの移動は、図２の長さＬによって示されている。図示された実施形態においては、レバー４３は、平面内で実質的に湾曲した細長い帯板の形状を有している。レバー４３は、ムーブメントプレート上のＢで、該レバーの一端によって既知の方法で連接されている。更に、レバー４３は、長さ全体にわたって分散し、レバー表面に対して垂直に延びる３つのピン４４、４５、及び４６を含む。これらの内２つのピン４４及び４５は、それぞれレバー４３の動きをレバー４０と巻き上げバー４２それぞれへ伝達する支持点として機能する。第３のピン４６は、レバー４３を矢印Ｆの方向へ回転させようとする戻りばね４７の支持点として機能する。図示された実施形態においては、巻き上げバー４２に作用するピン４５は、押しボタン３８のステムの端部３８ａの支持点をも形成する。
【００１７】
変形として、レバー４３を省いて、レバー４０及び巻き上げバー４２とそれぞれ協働する２本のフィンガー部を含む部品（図示せず）を押しボタン３８のステムと関連付けることを想定することができることは言うまでもない。
【００１８】
巻き上げバー４２は、その遠位端に、補助バレルＢＡの軸と連結されたピニオン４８と噛合するラック４２ａを有し、他方、近位端は連接レバー４３と協働する。巻き上げバー４２は、押しボタン３８の動きに対して平行な方向に延びており、該押しボタンの長手方向に沿って一直線に並んでいることが好ましい。押しボタン３８を作動させた時、矢印Ｈの方向へのバー４２の並進移動を確保するために、バー４２は、並進案内手段５０と関連付けられる。これらの案内手段５０の１つの詳細図が、図４に示されている。これらの案内手段５０は、図示された実施形態においてはバー４２の両端にそれぞれ配置され、各々がムーブメントのプレートＰに固定されたスタッド５２と関連付けられた２つの長円の孔５１を含む。好ましくは、及び最小限の摩擦でのバーの正確な案内を確保するために、スタッド５２は、大きな孔５３を有する例えばルビーのような石すなわち宝石で形成され、ネジ５４によってプレートに平坦に保持される。レバー４３を介した押しボタン３８の動作による巻き取りバー４２の並進移動により、ピニオン４８が矢印Ｉの方向に駆動され、補助バレルＢＡのばねが巻き上げられる。上述の実施形態においては、押しボタン３８への動作が解放されると、バー４２は、移動の最終位置で所定位置に保持され、その位置で補助バレルＢＡのばねが完全に巻き上げられる（図２）。
【００１９】
これに関し、バー４２による１ミリメートルオーダーの移動Ｌによって、ピニオン４８による１８０°オーダーの回転が生じること、及びこの回転によって、追加装置、すなわち上述の実施形態における時打ち機構にエネルギを供給するのに十分な巻き上げが与えられることに留意されたい。
【００２０】
この巻き上げられた位置は時打ちが始動されるまで維持され、この時点で、補助バレルＢＡのばねが解放されて時打ちを作動させ、これによってラックと噛合したピニオン４８を矢印Ｇの方向に駆動して、バー４２を、バレルＢＡのばねが完全に弛緩された静止位置に戻す（図３）。バー４２の静止位置への戻りは、バー４２へ駆動されるピン４９に、矢印Ｋの方向へ作用する戻りばね５５によって補助される。
【００２１】
追加装置の制御レバー４０は、４つのアーム５７、５８、５９、６０が突き出ている本体５６を含む。レバー４０は、第１のアーム５７の端部でムーブメントのプレートに従来の方法で連接されている。第２のアーム５８の自由端は、レバー４３のピン４４を向いて延びている。第３のアーム５９は、押しボタン３５及び３７（図１）に連結された装置（図示せず）によって制御されるコラムホイール６１と協働する。第４のアーム６０は、その自由端を介して、ジャンパばね６２と協働し、ジャンパばね６２は、レバー４０の２つの所定位置を位置決めしている。この様な位置決めを達成するために、第４のアーム６０の自由端は、ジャンパばね６２の自由端が係合する２つのノッチ６３及び６４を含む。
【００２２】
これに関し、ジャンパばね６３の張力及びノッチ６３、６４に対する位置は、ジャンパばね６２の一端に配置された２つの長円の孔６７、６８とそれぞれ協働するねじ６５及びカム６６によって調節されることに留意されたい。アーム６０は更に、クロノグラフホイール７０と永久的に噛合する逆転ホイール６９を支持し、該クロノグラフホイールは、Ｃ（図２）で回転するクロノグラフ７７のレバーによって支持され、且つ、軸が小さな秒針３２を支持しているホイール７１と噛合している。レバー４０の位置に応じて、逆転ホイールは、クロノグラフ秒針を反時計回りに駆動するホイール７２と係合したり、解放されたりする。
【００２３】
アーム５８及び６０の自由端は、レバー４０の正確な案内を確保し、且つ該レバーを案内プレートに接して保持するために、スタッド７５、７６と関連付けられた長円の孔７３、７４をそれぞれ含む点に留意されたい。
【００２４】
また、特定の実施形態においては、コラムホイール６１は、クロノグラフ機能が始動されると、逆転ホイール６９がホイール７２から解放される位置にレバー４０を固定し、タイマー機能が始動されると、クロノグラフホイール７０がホイール７２から解放される位置にクロノグラフレバー７７を固定するように配置される点に留意されたい。最後に、レバー４０は、カム形ストッパと協働し、このことによってクロノグラフ秒ホイール７２の歯への逆転ホイール６９の歯の食い込みの深さを調節することができる。
【図面の簡単な説明】
【００２５】
【図１】本発明による時計の平面図である。
【図２】本発明による時計の２つの動作位置で示され、文字盤の反対側から見た制御手段の詳細な平面図である。
【図３】本発明による時計の２つの動作位置で示され、文字盤の反対側から見た制御手段の詳細な平面図である。
【図４】本発明による時計の制御手段の一構成部品に関する案内手段の部分断面図を示す。
【符号の説明】
【００２６】
３８  押しボタン、４２  巻き上げバー、４３  連接レバー、４４、４５、４６  ピン、４７  戻りばね、５０  案内手段
【図１】
0004598363.tif 000002
【図２】
0004598363.tif 000003
【図３】
0004598363.tif 000004
【図４】
0004598363.tif 000005